【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】  画像形成装置に接続可能であって、シートを積載する第１の積載手段と、
前記第１の積載手段に積載されたシート及び前記画像形成装置により画像形成されたシートを搬送する搬送手段と、
前記搬送手段により搬送された前記第１の積載手段からのシート及び前記画像形成装置からのシートを積載する第２の積載手段とを有し、
前記画像形成装置の動作モードに応じて前記搬送手段により搬送される前記第１の積載手段からのシートに対してシート加工処理を行うシート処理装置において、
前記第１の積載手段から搬送されるシートの斜行量を検出する検出手段と、
前記シート加工処理を行うか否かを判定する判定手段と、
前記検出手段により検出したシートの斜行量および前記判定手段による判定結果に基づいて、前記搬送手段によるシートの搬送を制御する制御手段と、を有することを特徴とするシート処理装置。
【請求項２】  前記制御手段は、前記検出手段により検出したシートの斜行量が第１の斜行量を越え、前記判定手段により前記シート加工処理を行うと判定した場合は、前記搬送手段によるシートの搬送を禁止し、前記検出手段により検出したシートの斜行量が第１の斜行量を越え、前記判定手段により前記シート加工処理を行わないと判定した場合は、前記搬送手段によるシートの搬送を許可することを特徴とする請求項１記載のシート処理装置。
【請求項３】  前記制御手段は、前記検出手段により検出したシートの斜行量が、前記第１の斜行量よりも大きい第２の斜行量を越える場合、前記搬送手段によるシートの搬送を禁止し、前記検出手段により検出したシートの斜行量が前記第１の斜行量以下の場合、前記搬送手段によるシートの搬送を許可することを特徴とする請求項２記載のシート処理装置。
【請求項４】  前記制御手段は、前記搬送手段によるシートの搬送を禁止した場合、その旨を前記画像形成装置に通知することを特徴とする請求項２記載のシート処理装置。
【請求項５】  前記シート加工処理は穴あけ処理であることを特徴とする請求項１乃至４のいずれかに記載のシート処理装置。
【請求項６】  画像形成装置に接続可能であって、シートを積載する第１の積載手段と、前記第１の積載手段に積載されたシート及び前記画像形成装置により画像形成されたシートを搬送する搬送手段と、前記搬送手段により搬送された前記第１の積載手段からのシート及び前記画像形成装置からのシートを積載する第２の積載手段とを有し、前記画像形成装置の動作モードに応じて前記搬送手段により搬送される前記第１の積載手段からのシートに対してシート加工処理を行うシート処理装置の制御方法において、
前記第１の積載手段から搬送されるシートの斜行量を検出する検出ステップと、
前記シート加工処理を行うか否かを判定する判定ステップと、
前記検出ステップにて検出したシートの斜行量および前記判定ステップの判定結果に基づいて、前記搬送手段によるシートの搬送を制御する制御ステップと、を有することを特徴とするシート処理装置の制御方法。
【請求項７】  入力されたデータに基づいて、シート上に画像を形成する画像形成手段と、
シートを積載する第１の積載手段と、
前記第１の積載手段に積載されたシート及び前記画像形成手段により画像形成されたシートを搬送する搬送手段と、
前記搬送手段により搬送された前記第１の積載手段からのシート及び前記画像形成手段からのシートを積載する第２の積載手段とを有し、
動作モードに応じて前記搬送手段により搬送される前記第１の積載手段からのシートに対してシート加工処理を行う画像形成装置において、
前記第１の積載手段から搬送されるシートの斜行量を検出する検出手段と、
前記シート加工処理を行うか否かを判定する判定手段と、
前記検出手段により検出したシートの斜行量および前記判定手段による判定結果に基づいて、前記搬送手段によるシートの搬送を制御する制御手段と、を有することを特徴とする画像形成装置。
【手続補正２】
【補正対象書類名】明細書
【補正対象項目名】０００５
【補正方法】変更
【補正の内容】
【０００５】
【課題を解決するための手段】
上記問題を解決するため、本発明は、画像形成装置に接続可能であって、シートを積載する第１の積載手段と、前記第１の積載手段に積載されたシート及び前記画像形成装置により画像形成されたシートを搬送する搬送手段と、前記搬送手段により搬送された前記第１の積載手段からのシート及び前記画像形成装置からのシートを積載する第２の積載手段とを有し、前記画像形成装置の動作モードに応じて前記搬送手段により搬送される前記第１の積載手段からのシートに対してシート加工処理を行うシート処理装置において、前記第１の積載手段から搬送されるシートの斜行量を検出する検出手段と、前記シート加工処理を行うか否かを判定する判定手段と、前記検出手段により検出したシートの斜行量および前記判定手段による判定結果に基づいて、前記搬送手段によるシートの搬送を制御する制御手段と、を有することを特徴とするシート処理装置を提供するものである。
【手続補正３】
【補正対象書類名】明細書
【補正対象項目名】０００６
【補正方法】変更
【補正の内容】
【０００６】
また、本発明は、画像形成装置に接続可能であって、シートを積載する第１の積載手段と、前記第１の積載手段に積載されたシート及び前記画像形成装置により画像形成されたシートを搬送する搬送手段と、前記搬送手段により搬送された前記第１の積載手段からのシート及び前記画像形成装置からのシートを積載する第２の積載手段とを有し、前記画像形成装置の動作モードに応じて前記搬送手段により搬送される前記第１の積載手段からのシートに対してシート加工処理を行うシート処理装置の制御方法において、前記第１の積載手段から搬送されるシートの斜行量を検出する検出ステップと、前記シート加工処理を行うか否かを判定する判定ステップと、前記検出ステップにて検出したシートの斜行量および前記判定ステップの判定結果に基づいて、前記搬送手段によるシートの搬送を制御する制御ステップと、を有することを特徴とするシート処理装置の制御方法を提供するものである。
【手続補正４】
【補正対象書類名】明細書
【補正対象項目名】０００７
【補正方法】変更
【補正の内容】
【０００７】
また、本発明は、入力されたデータに基づいて、シート上に画像を形成する画像形成手段と、シートを積載する第１の積載手段と、前記第１の積載手段に積載されたシート及び前記画像形成手段により画像形成されたシートを搬送する搬送手段と、前記搬送手段により搬送された前記第１の積載手段からのシート及び前記画像形成手段からのシートを積載する第２の積載手段とを有し、動作モードに応じて前記搬送手段により搬送される前記第１の積載手段からのシートに対してシート加工処理を行う画像形成装置において、前記第１の積載手段から搬送されるシートの斜行量を検出する検出手段と、前記シート加工処理を行うか否かを判定する判定手段と、前記検出手段により検出したシートの斜行量および前記判定手段による判定結果に基づいて、前記搬送手段によるシートの搬送を制御する制御手段と、を有することを特徴とする画像形成装置を提供するものである。
【手続補正５】
【補正対象書類名】明細書
【補正対象項目名】０２１６
【補正方法】変更
【補正の内容】
【０２１６】
【発明の効果】
以上説明したように、本発明によれば、第１の積載手段から搬送されるシートの斜行量を検出し、シート加工処理を行うか否かを判定し、検出したシートの斜行量および判定結果に基づいて、搬送手段によるシートの搬送を制御するので、第１の積載手段からシートが斜行した状態で搬送されたとしても、ユーザに対する余計な手間や労力が増大することなく、コスト高となることを防止することが出来る。